(57)【要約】【課題】洗濯槽や浴槽内の汎用水に入れるだけで洗濯槽や浴槽内のお湯や水を適度なｐＨ値に還元しアルカリ還元、機能水化することができる。【解決手段】水の改質部材１は、細孔による通水性を有する収容体２と、収容体２の内部に収容されたマグネシウムの切削片３及び粒４の群と、を備え、収容体２が、マグネシウムより少なくとも電気陰性度の大きい又は酸化還元電位の高いのいずれか一方以上である金属、又は金属を含む材料で成形され、マグネシウムの切削片３及び粒４は、収容体２の細孔を通過して水中に漏れでない大きさである。【選択図】図１
2015057268.tif 000002
【特許請求の範囲】
【請求項１】
細孔による通水性を有する収容体と、
前記収容体の内部に収容されたマグネシウムの切削片及び粒の群と、を備え、
前記収容体が、マグネシウムより少なくとも電気陰性度の大きい又は酸化還元電位の高いのいずれか一方以上である金属、又は前記金属を含む材料で成形され、
前記マグネシウムの切削片及び粒は、前記収容体の細孔を通過して水中に漏れでない大きさであることを特徴とする水の改質部材。
【請求項２】
前記収容体の内部に収容され、前記マグネシウムの切削片及び粒の群と擦れることで前記マグネシウムの切削片及び粒の表面を削ってマグネシウムの未酸化新表面をもつ微粉を無数生じさせる少なくともセラミック、石、砂、又は炭素材の研磨性粒の群を備え、
前記研磨性粒は、前記収容体の細孔を通過して水中に漏れでない大きさであることを特徴とする請求項１に記載の水の改質部材。
【請求項３】
細孔による通水性を有する収容体と、
前記収容体の内部に収容されたマグネシウムの切削片及び粒の群と、
前記マグネシウムの切削片及び粒の群と擦れることで前記マグネシウムの切削片及び粒の表面を削ってマグネシウムの未酸化新表面をもつ微粉を無数生じさせるマグネシウムより少なくとも電気陰性度の大きい又は酸化還元電位の高いのいずれか一方以上である研磨性金属の粒の群と、を備え、
前記マグネシウムの切削片、粒及び前記研磨性金属の粒は、前記収容体の細孔を通過して水中に漏れでない大きさであることを特徴とする水の改質部材。
【請求項４】
前記収容体が、マグネシウムより少なくとも電気陰性度の大きい又は酸化還元電位の高いのいずれか一方以上である金属、又は前記金属を含む材料で成形されていることを特徴とする請求項３に記載の水の改質部材。
【請求項５】
前記金属が、ステンレス、銀、銅、又は鉄であることを特徴とする請求項１、又は請求項３、又は請求項４に記載の水の改質部材。
【請求項６】
細孔による通水性を有する収容体と、
前記収容体の内部に収容されたイオン化傾向をもつ金属又はイオン化傾向をもつ金属に炭素を含有する部材、及び炭素粒混合の砥粒の群と、を備え、
前記金属及び砥粒は、前記収容体の細孔を通過して水中に漏れでない大きさであることを特徴とする水の改質部材。
【請求項７】
請求項１乃至請求項５のいずれか１項に記載の水の改質部材を、水中に投入し、
水流、又は振動を、前記水の改質部材に与え、
無数のマグネシウム微紛を生じさせて、
マグネシウムイオンを水中に放出させ、水を還元化しアルカリ傾向化させることを特徴とする水の改質方法。
【請求項８】
請求項６に記載の水の改質部材を、水中に投入し、
水流、又は振動を、前記水の改質部材に与え、
無数の未酸化新表面をもつ金属微粉をつくると同時に、
イオンを水中に放出させ、水を機能水化させることを特徴とする水の改質方法。
【発明の詳細な説明】
【技術分野】
【０００１】
この発明は、例えば、洗濯槽や浴槽内などの汎用水に入れることで洗濯槽や浴槽内の湯や水を適度なｐＨ値にアルカリ還元、機能水化する水の改質部材及び水の改質方法に関する。
【背景技術】
【０００２】
従来、洗濯槽内の水の改質方法として、例えば、特許文献１に記載の技術が公知になっている。即ち、この従来の技術は、洗濯機の給水部に、電気分解によってアルカリ水と酸性水を生成する創水装置を設け、アルカリ水と酸性水を適度な配合で洗濯槽内に供給するというものであった。
【先行技術文献】
【特許文献】
【０００３】
【特許文献１】特開平５−８４３８４号公報
【発明の概要】
【発明が解決しようとする課題】
【０００４】
しかしながら、従来の技術にあっては、電源を必要とし、かつ、電気分解装置、温度センサ、ｐＨセンサ、ｐＨ値制御手段、等が必要で、コストが高くつくばかりでなく、既存の洗濯機では利用できないという問題がある。
【０００５】
この発明の解決しようとする課題は、例えば、洗濯槽や浴槽内の汎用水に入れるだけで洗濯槽や浴槽内のお湯や水を適度なｐＨ値に還元しアルカリ還元、機能水化することができる水の改質部材及び水の改質方法を提供することにある。
【課題を解決するための手段】
【０００６】
前記課題を解決し、かつ目的を達成するために、この発明は、以下のように構成した。
【０００７】
請求項１に記載の発明は、細孔による通水性を有する収容体と、
前記収容体の内部に収容されたマグネシウムの切削片及び粒の群と、を備え、
前記収容体が、マグネシウムより少なくとも電気陰性度の大きい又は酸化還元電位の高いのいずれか一方以上である金属、又は前記金属を含む材料で成形され、
前記マグネシウムの切削片及び粒は、前記収容体の細孔を通過して水中に漏れでない大きさであることを特徴とする水の改質部材である。
【０００８】
請求項２に記載の発明は、前記収容体の内部に収容され、前記マグネシウムの切削片及び粒の群と擦れることで前記マグネシウムの切削片及び粒の表面を削ってマグネシウムの未酸化新表面をもつ微粉を無数生じさせる少なくともセラミック、石、砂、又は炭素材の研磨性粒の群を備え、
前記研磨性粒は、前記収容体の細孔を通過して水中に漏れでない大きさであることを特徴とする請求項１に記載の水の改質部材である。
【０００９】
請求項３に記載の発明は、細孔による通水性を有する収容体と、
前記収容体の内部に収容されたマグネシウムの切削片及び粒の群と、
前記マグネシウムの切削片及び粒の群と擦れることで前記マグネシウムの切削片及び粒の表面を削ってマグネシウムの未酸化新表面をもつ微粉を無数生じさせるマグネシウムより少なくとも電気陰性度の大きい又は酸化還元電位の高いのいずれか一方以上である研磨性金属の粒の群と、を備え、
前記マグネシウムの切削片、粒及び前記研磨性金属の粒は、前記収容体の細孔を通過して水中に漏れでない大きさであることを特徴とする水の改質部材である。
【００１０】
請求項４に記載の発明は、前記収容体が、マグネシウムより少なくとも電気陰性度の大きい又は酸化還元電位の高いのいずれか一方以上である金属、又は前記金属を含む材料で成形されていることを特徴とする請求項３に記載の水の改質部材である。
【００１１】
請求項５に記載の発明は、前記金属が、ステンレス、銀、銅、又は鉄であることを特徴とする請求項１、又は請求項３、又は請求項４に記載の水の改質部材である。
【００１２】
請求項６に記載の発明は、細孔による通水性を有する収容体と、
前記収容体の内部に収容されたイオン化傾向をもつ金属又はイオン化傾向をもつ金属に炭素を含有する部材、及び炭素粒混合の砥粒の群と、を備え、
前記金属及び砥粒は、前記収容体の細孔を通過して水中に漏れでない大きさであることを特徴とする水の改質部材である。
【００１３】
請求項７に記載の発明は、請求項１乃至請求項５のいずれか１項に記載の水の改質部材を、水中に投入し、
水流、又は振動を、前記水の改質部材に与え、
無数のマグネシウム微紛を生じさせて、
マグネシウムイオンを水中に放出させ、水を還元化しアルカリ傾向化させることを特徴とする水の改質方法である。
【００１４】
請求項８に記載の発明は、請求項６に記載の水の改質部材を、水中に投入し、
水流、又は振動を、前記水の改質部材に与え、
無数の未酸化新表面をもつ金属微粉をつくると同時に、
イオンを水中に放出させ、水を機能水化させることを特徴とする水の改質方法である。
【発明の効果】
【００１５】
前記構成により、この発明は、以下のような効果を有する。
【００１６】
請求項１に記載の発明では、細孔による通水性を有する収容体と、収容体の内部に収容されたマグネシウムの切削片及び粒の群と、を備え、収容体が、マグネシウムより少なくとも電気陰性度の大きい又は酸化還元電位の高いのいずれか一方以上である金属、又は金属を含む材料で成形され、マグネシウムの切削片及び粒は、収容体の細孔を通過して水中に漏れでない大きさであることで、例えば、洗濯槽内に入れて洗濯をすると、洗濯物や洗濯槽の内壁とぶっかることで収容体と収容体の内容物とが揉まれ擦れ合いを生み、マグネシウムの切削片及び粒の群と収容体の金属との接触により局部電池が作られ、その電極電位差によって酸化還元反応を惹起してマグネシウムイオンを水中に放出することになり、このマグネシウムイオンが水及び溶存化学物質と反応して水を還元化しアルカリ傾向化機能水を作る。これにより、洗濯物の汚れ皮脂を溶かす役割を果たす。
【００１７】
また、マグネシウムの切削片及び粒が収容体の金属と擦れ合うことで、マグネシウムの切削片及び粒の表面が削られてマグネシウムの新しい表面をもつ微粉が無数生じると共に、マグネシウムの切削片及び粒の表面が削られて常に新しい面が現れることで、マグネシウムの切削片及び粒自体の酸化永続性が確保される。これにより、収容体の金属が常にマグネシウムの切削片及び粒、微粉の新しい面と接触することで、酸化還元反応力が低下することなしに、マグネシウムイオンの溶出を持続させることができるようになるという効果が得られる。
【００１８】
請求項２に記載の発明では、収容体の内部に収容され、マグネシウムの切削片及び粒の群と擦れることでマグネシウムの切削片及び粒の表面を削ってマグネシウムの未酸化新表面をもつ微粉を無数生じさせる少なくともセラミック、石、砂、又は炭素材の研磨性粒の群を備え、研磨性粒は、収容体の細孔を通過して水中に漏れでない大きさであることで、マグネシウムの切削片及び粒の群が、研磨性粒の群と擦れ合い、研磨性粒によりマグネシウムの切削片及び粒の表面が削られてマグネシウムの微粉が無数生じると共に、マグネシウムの切削片及び粒の表面が削られて常に新しい面が現れ、マグネシウムの切削片及び粒自体の酸化永続性が確保される。これにより、収容体の金属や炭素材研磨粒をが常にマグネシウムの切削片及び粒、微粉の新しい面と接触することで、酸化還元反応力が低下することなしに、マグネシウムイオンの溶出効果を更に高めることができる。
【００１９】
請求項３に記載の発明では、細孔による通水性を有する収容体と、収容体の内部に収容されたマグネシウムの切削片及び粒の群と、マグネシウムの切削片及び粒の群と擦れることでマグネシウムの切削片及び粒の表面を削ってマグネシウムの未酸化新表面をもつ微粉を無数生じさせるマグネシウムより少なくとも電気陰性度の大きい又は酸化還元電位の高いのいずれか一方以上である研磨性金属の粒の群と、を備え、マグネシウムの切削片、粒及び研磨性金属の粒は、収容体の細孔を通過して水中に漏れでない大きさであることで、洗濯槽内に入れて洗濯をすると、洗濯物や洗濯槽の内壁とぶっかることで揉まれ擦れ合ってマグネシウムの切削片及び粒の群と研磨性金属の粒の群との接触により局部電池が作られ、その電極電位差によって酸化還元反応を惹起してマグネシウムイオンを水中に放出することになり、このマグネシウムイオンが水及び溶存化学物質と反応して水を還元しアルカリ傾向化機能水を作る。これにより、洗濯物の汚れ皮脂を溶かす役割を果たす。
【００２０】
また、マグネシウムの切削片及び粒の群が研磨性金属の粒の群と擦れ合うことで、マグネシウムの切削片及び粒の表面が削られてマグネシウムの微粉が無数生じると共に、マグネシウム粒の表面が削られて常に新しい面が現れることで、マグネシウムの切削片及び粒自体の酸化永続性が確保される。これにより、研磨性金属の粒の群が常にマグネシウムの切削片及び粒、無数微粉の新しい面と接触することで、酸化還元反応力が低下することなしに、マグネシウムイオンの溶出を持続させることができるようになるという効果が得られる。
【００２１】
請求項４に記載の発明では、収容体が、マグネシウムより少なくとも電気陰性度の大きい又は酸化還元電位の高いのいずれか一方以上である金属、又は金属を含む材料で成形されていることで、金属とマグネシウムの切削片及び粒の群が揉まれ擦れ合い、接触することで、マグネシウムイオンの溶出効果を更に高めることができる。
【００２２】
請求項５に記載の発明では、金属が、ステンレス、銀、銅、又は鉄であることで、マグネシウムの切削片及び粒の表面の研磨効果を高めることができると共に、マグネシウムの犠牲腐蝕作用で金属繊維、金属又は研磨性金属の粒の群からのサビの発生を防ぐことができる。
【００２３】
請求項６に記載の発明では、細孔による通水性を有する収容体と、収容体の内部に収容されたイオン化傾向をもつ金属又はイオン化傾向をもつ金属に炭素を含有する部材、及び炭素粒混合の砥粒の群と、を備え、金属又は金属に炭素を含有する部材、及び炭素粒混合の砥粒は、収容体の細孔を通過して水中に漏れでない大きさであることで、収容体と収容体の内容物とが揉まれ擦れ合いを生み、イオン化傾向をもつ金属又は金属に炭素を含有する部材の表面が削られて金属又は金属に炭素を含有する部材の新しい表面をもつ微粉が無数生じると共に、金属又は金属に炭素を含有する部材の表面が削られて常に新しい面が現れることで、金属自体の酸化永続性が確保され、イオン化傾向をもつ金属又は金属に炭素を含有する部材が常に新しい面と接触することで、酸化還元反応力が低下することなしに、イオンの溶出を持続させることができ、かつイオンが水及び溶存化学物質と反応して水を還元化し、水に機能をもたせ水の改質を図ることができる。
【００２４】
請求項７に記載の発明では、請求項１乃至請求項５のいずれか１項に記載の水の改質部材を、水中に投入し、水流、又は振動を、水の改質部材に与え、無数のマグネシウム微紛を生じさせて、マグネシウムイオンを水中に放出させ、水を還元化しアルカリ傾向化させることで、請求項１乃至請求項５に記載の効果を得ることができる。
【００２５】
請求項８に記載の発明では、請求項６に記載の水の改質部材を、水中に投入し、水流、又は振動を、水の改質部材に与え、無数の未酸化新表面をもつ金属微粉をつくると同時に、イオンを水中に放出させ、水を機能水化させることで、請求項６に記載の効果を得ることができる。
【図面の簡単な説明】
【００２６】
【図１】実施例１の水の改質部材を示す図である。
【図２】水の改質方法を示す図である。
【図３】実施例２の水の改質部材を示す図である。
【図４】実施例３の水の改質部材を示す図である。
【図５】実施例５の水の改質部材を示す図である。
【発明を実施するための形態】
【００２７】
以下に、この発明の実施例を説明する。
【００２８】
（実施例１）
まず、実施例１の水の改質部材及び水の改質方法を、図１及び図２に基づいて説明する。図１は水の改質部材を示す図、図２は水の改質方法を示す図である。
【００２９】
この水の改質部材の構成を、図１に基づいて説明する。この水の改質部材１は、細孔による通水性を有する収容体２と、この収容体２の内部に収容されたマグネシウム（Ｍｇ）の切削片３及び粒４の群と、を備えている。
【００３０】
収容体２は、マグネシウムより少なくとも電気陰性度の大きい又は酸化還元電位の高いのいずれか一方以上である金属、又は金属を含む材料で成形される。収容体２は、通水性と柔軟性及び耐久性を有する袋であり、マグネシウムより少なくとも電気陰性度の大きい又は酸化還元電位の高いのいずれか一方以上である金属の繊維を織布した布、又は金属を含む布で構成される。金属の繊維は、１００μｍ以下の線が使用されている。金属を含む布としては、金属の繊維が織り込まれた糸を用いて織布した布等が用いられる。また、収容体２は、通水性と耐久性を有する容器であり、マグネシウムより少なくとも電気陰性度の大きい又は酸化還元電位の高いのいずれか一方以上である金属、又は金属を含む樹脂で構成される。また、金属としては、ステンレス、銀、銅、又は鉄等が用いられる。
【００３１】
この水の改質部材１は、収容体２を覆う外袋を備えることができ、外袋は、例えば通水性と柔軟性及び耐久性を有する天然繊維又は化学繊維の布で構成される。この外袋を備えることで、収容体２の耐久性を向上させることができる。マグネシウムの切削片３及び粒４は、収容体２の細孔を通過して水中に漏れでない大きさである。
【００３２】
次に、この水の改質部材１を用いた水の改質方法を、図２に基づいて説明する。この水の改質部材１を、水中に投入し、水流、又は振動を、水の改質部材１に与え、マグネシウムイオンを水中に放出させ、水を還元化しアルカリ傾向化させて水の改質を行う。            
【００３３】
図２（ａ）の実施例は、水の改質部材１を、洗濯槽の水中に投入し、洗濯時の水流を、水の改質部材１に与え、マグネシウムイオンを水中に放出させる例を示す。水の改質部材１を洗濯槽１０の内部に入れて洗濯すると、洗濯物や洗濯槽の内壁とぶっかることで収容体２と収容体２の内容物とが揉まれ擦れ合いを生み、マグネシウムの切削片３及び粒４の群と収容体２の金属との接触により局部電池が作られ、その電極電位差によって酸化還元反応を惹起してマグネシウムイオンを水中に放出することになり、このマグネシウムイオンが水及び溶存化学物質と反応して水を還元化しアルカリ傾向化機能水となる。これにより、洗濯物の汚れ皮脂を溶かす役割を果たす。
【００３４】
また、マグネシウムの切削片３及び粒４が収容体２の金属と擦れ合うことで、マグネシウムの切削片３及び粒４の表面が削られてマグネシウムの新しい表面をもつ微粉が無数生じると共に、マグネシウムの切削片３及び粒４の表面が削られて常に新しい面が現れることで、マグネシウムの切削片３及び粒４自体の酸化永続性が確保される。これにより、収容体２の金属が常にマグネシウムの切削片３及び粒４、微粉の新しい面と接触することで、酸化還元反応力が低下することなしに、マグネシウムイオンの溶出を持続させることができるようになるという効果が得られる。
【００３５】
即ち、マグネシウムを大気中又は水中で放置すると、その表面は酸素、湿気等と非常に反応し易く、酸化皮膜を形成し、その酸化皮膜は、マグネシウム保護皮膜で硬質である。このため、マグネシウムを水中に存置するだけで、マグネシウムの新しい表面は、水中に溶存する酸素及び溶存する塩素分、さらには水と反応し、
２Ｍｇ＋Ｏ２→２ＭｇＯ（酸化マグネシウムＭｇＯ）を生成
Ｍｇ＋２Ｈｃｌ→Ｍｇｃｌ２＋Ｈ２（塩化マグネシウム（ニガリ）  Ｍｇｃｌ２と水素Ｈ２）を生成
Ｍｇ＋２Ｈ２Ｏ→Ｍｇ（ＯＨ）２＋Ｈ２（水酸化マグネシウム（食品添加物）と水素Ｈ２）を生成
以上のように、マグネシウムの新しい表面は、酸化マグネシウムＭｇＯと、塩化マグネシウム（ニガリ）Ｍｇｃｌ２と、水酸化マグネシウムＭｇ（ＯＨ）２＋Ｈ２の合成物が強固に付着し、それが保護皮膜となって表面を覆うため、激しい反応は短時間であって、一時的には水を還元改質したり、水素を発生したりするが、永続性に欠ける。
【００３６】
そこで、従来では、保護皮膜ができるたびに、マグネシウムをクエン酸溶液等で酸洗いして酸化皮膜を溶かしてやるといった面倒な作業が必要であるために、実用化にいたらなかった。これに対し、この実施例１にあっては、上述のように、度々の酸洗い等の面倒な作業を要することなしに、マグネシウムイオンの溶出を持続させることができるようになる。
【００３７】
また、金属の繊維、又は金属を硬質なステンレスや鉄とすることで、マグネシウムの切削片３及び粒４の表面の研磨効果を高めることができると共に、マグネシウムの犠牲腐蝕作用で金属の繊維又は金属からのサビの発生を防ぐことができる。また、金属の繊維又は金属を銅や銀とすることで、内袋の殺菌効果が得られるようになる。
【００３８】
図２（ｂ）の実施例は、水の改質部材１が起振器９に備えられており、浴槽２０の水中に投入し、起振器９の振動を、水の改質部材１に与え、マグネシウムイオンを水中に放出させる例を示す。起振器９は、防水性で水面に浮くことができる構造であり、水の改質部材１に振動を与え擦り合わせる手段であれば特に限定されず、自身がモータにより振動する電動手段、超音波を発生して水の改質部材１に振動を与える超音波発生手段などを用い、またこれらの手段を組み合わせて用いることができる。また、起振器９として、電圧をかけると伸び縮みするように加工された特殊なゴム及びゴムシートを用いて水の改質部材１に振動を与えるようにしてもよく、また収容体２の袋を、電圧をかけると伸び縮みするように加工された特殊なゴム及びゴムシートを用いてもよい。
【００３９】
また、起振器９に水の改質部材１を備え、起振器９を浴槽２０に取り付けて固定して、浴槽も水も同時に振動するようにしてもよい。起振器９に水の改質部材１を一体に備えることが好ましく、一体に備えることで起振器９の振動をできる限り最大限に水の改質部材１に伝達することができる。
【００４０】
水の改質部材１を、浴槽２０の水中に投入し、起振器９の振動を、水の改質部材１に与えることで、水の改質部材１が振動し、マグネシウムの切削片３及び粒４の群と収容体２の金属との接触により局部電池が作られ、その電極電位差によって酸化還元反応を惹起してマグネシウムイオンを水中に放出することになり、このマグネシウムイオンが水及び溶存化学物質と反応して水を還元化しアルカリ傾向化させ、図２（ａ）の実施例と同様に、水の改質を行うことができる。さらに、起振器９の振動が浴槽２０の水にも伝わり、水が振動することで、入浴中の人体の皮膚の刺激、毛穴などの汚れ落としなどの効果がある。特に、浴槽２０に浴剤を入れて石鹸泡が立つような入浴では、起振器９の振動が浴槽２０の水にも伝わることで、人体の皮膚の刺激、毛穴などの汚れ落としなどの効果にさらに浴剤の洗浄効果が加わる。
【００４１】
次に、他の実施例について説明する。この他の実施例の説明にあたっては、前記実施例１と同様の構成部分については説明を省略し、相違点についてのみ説明する。
【００４２】
（実施例２）
次に、実施例２の水の改質部材及び水の改質方法を、図３に基づいて説明する。図３は水の改質部材を示す図である。この実施例２は、実施例１における水の改質部材１の変形例を示すものであり、収容体２の内部に収容され、マグネシウムの切削片３及び粒４の群と擦れることでマグネシウムの切削片３及び粒４の表面を削ってマグネシウムの未酸化新表面をもつ微粉を無数生じさせる少なくともセラミック、石、砂、及び炭素材の研磨性粒５の群を備える。研磨性粒５は、収容体２の細孔を通過して水中に漏れでない大きさである点が、前記実施例１とは相違したものである。
【００４３】
従って、この実施例２では、実施例１と同様の効果が得られる他、マグネシウムの切削片３及び粒４が研磨性粒５の群とも擦れ合うことで、マグネシウムの切削片３及び粒４の表面が削られてマグネシウムの微粉が無数生じると共に、マグネシウムの切削片３及び粒５の表面が削られて常に新しい面が現れることで、マグネシウムの切削片３及び粒５粒自体の酸化永続性が確保される。これにより、研磨性粒５が常にマグネシウムの切削片３及び粒４、微粉の新しい面と炭素研磨粒が接触することで、酸化還元反応力が低下することなしに、マグネシウムイオンの溶出効果を更に高めることができる。
【００４４】
（実施例３）
次に、実施例３の水の改質部材及び水の改質方法を、図４に基づいて説明する。図４は水の改質部材を示す図である。この実施例３は、細孔による通水性を有する収容体２と、収容体２の内部に収容されたマグネシウムの切削片３及び粒４の群と、マグネシウムの切削片３及び粒４の群と擦れることでマグネシウムの切削片３及び粒４の表面を削ってマグネシウムの未酸化新表面をもつ微粉を無数生じさせるマグネシウムより少なくとも電気陰性度の大きい又は酸化還元電位の高いのいずれか一方以上である研磨性金属の粒６の群と、を備え、マグネシウムの切削片３、粒４及び研磨性金属の粒６は、収容体２の細孔を通過して水中に漏れでない大きさであり、研磨性金属の粒６としてはステンレスや鉄又は銅や銀等が用いられる。
【００４５】
従って、この実施例３では、実施例１及び実施例２と同様に、水の改質部材１を、水中に投入し、水流、又は振動を、水の改質部材１に与え、マグネシウムイオンを水中に放出させ、水を還元化しアルカリ傾向化させて水の改質を行う。
【００４６】
例えば、水の改質部材１を、洗濯槽の水中に投入し、洗濯をすると、洗濯物や洗濯槽の内壁とぶっかることで揉まれ擦れ合ってマグネシウムの切削片３及び粒４の群と研磨性金属の粒６の群との接触により局部電池が作られ、その電極電位差によって酸化還元反応を惹起してマグネシウムイオンを水中に放出することになり、このマグネシウムイオンが水及び溶存化学物質と反応して水を還元しアルカリ傾向化機能水を作る。これにより、洗濯物の汚れ皮脂を溶かす役割を果たす。
【００４７】
また、マグネシウムの切削片３及び粒４の群が研磨性金属の粒６の群と擦れ合うことで、マグネシウムの切削片３及び粒４の表面が削られてマグネシウムの微粉が無数生じると共に、マグネシウム粒の表面が削られて常に新しい面が現れることで、マグネシウムの切削片３及び粒４自体の酸化永続性が確保される。これにより、研磨性金属の粒６の群が常にマグネシウムの切削片３及び粒４、無数微粉の新しい面と接触することで、酸化還元反応力が低下することなしに、マグネシウムイオンの溶出を持続させることができるようになるという効果が得られる。
【００４８】
また、研磨性金属の粒６の群を硬質なステンレスとすることで、マグネシウムの切削片３及び粒４の表面の研磨効果を高めることができると共に、金属の繊維又は金属からのサビの発生を防ぐことができる。また、研磨性金属の粒６の群を銅とすることで、微粉も生成して内袋の殺菌効果が得られるようになる。
【００４９】
（実施例４）
この実施例４は、実施例３における水の改質部材の変形例を示すものであり、収容体２がマグネシウムより少なくとも電気陰性度の大きい又は酸化還元電位の高いのいずれか一方以上である金属、又は金属を含む材料で成形される点が実施例３とは相違したものである。
【００５０】
収容体２は、通水性と柔軟性及び耐久性を有する袋であり、マグネシウムより少なくとも電気陰性度の大きい又は酸化還元電位の高いのいずれか一方以上である金属の繊維を織布した布、又は金属を含む布で構成される。金属の繊維は、１００μｍ以下の線が使用されている。金属を含む布としては、金属の繊維が織り込まれた糸を用いて織布した布等が用いられる。また、収容体２は、通水性と耐久性を有する容器であり、マグネシウムより少なくとも電気陰性度の大きい又は酸化還元電位の高いのいずれか一方以上である金属、又は金属を含む樹脂で構成される。また、金属としては、ステンレス、銀、銅、又は鉄等が用いられる。
【００５１】
この実施例４では、収容体２が、マグネシウムより少なくとも電気陰性度の大きい又は酸化還元電位の高いのいずれか一方以上である金属、又は金属を含む材料で成形されていることで、金属とマグネシウムの切削片３及び粒４の群が揉まれ擦れ合い、接触することで、マグネシウムイオンの溶出効果を更に高めることができる。
【００５２】
また、金属とマグネシウムの切削片３及び粒４とが擦れ合うことで、マグネシウムの切削片３及び粒４の表面が削られてマグネシウムの微粉が無数生じると共に、マグネシウムの切削片３及び粒４の表面が削られて常に未酸化の新しい面が現れることで、マグネシウムの切削片３及び粒４自体の酸化永続性が確保される。これにより、金属が常にマグネシウムの切削片３及び粒４、微粉の新しい面と接触することで、酸化還元反応力が低下することなしに、マグネシウムイオンの溶出効果を更に高めることができる。
【００５３】
（実施例５）
次に、実施例５の水の改質部材及び水の改質方法を、図５に基づいて説明する。図５は水の改質部材を示す図である。
【００５４】
この水の改質部材１は、細孔による通水性を有する収容体２と、収容体２の内部に収容されたイオン化傾向をもつ金属７又はイオン化傾向をもつ金属に炭素を含有する部材、及び炭素粒混合の砥粒８の群と、を備え、金属７又は金属に炭素を含有する部材、及び炭素粒混合の砥粒８は、収容体２の細孔を通過して水中に漏れでない大きさである。収容体２は、金属を全く含まない折曲伸縮自在で通水性を有する収容体で構成、また収容体２を覆う外袋を備えることができる。
【００５５】
イオン化傾向をもつ金属７としては、鉄（Ｆｅ）、銅（Ｃｕ）、銀（Ａｇ）、金（Ａｕ）、亜鉛（Ｚｎ）、錫（Ｓｎ）、マグネシウム（Ｍｇ）などを単体で用いることができるが、これらの金属と炭素の混合焼結体（ＳＰＳ焼結）など金属に炭素を含有する部材を用いることがさらに好ましい。また、炭素粒混合の砥粒８としては、無機物の石、砂、セラミック、又は炭素材を用いるが、これ以外にイオン化傾向をもつ金属７よりも少なくとも電気陰性度の大きい又は酸化還元電位の高いのいずれか一方以上である金属、炭素材を混在して使用する。炭素粒混合の砥粒８の形状は特に限定されず、繊維状、棒状、粒状などが用いられる。このように、炭素粒混合の砥粒８としては、混在させたものを用いることで局部電池が作られ、イオン化傾向をもつ金属７を無数の微粒子化と同時に局部電池形成で金属イオン生成の効率を向上させることができる。
【００５６】
この実施例５では、細孔による通水性を有する収容体２と、収容体２の内部に収容されたイオン化傾向をもつ金属７又はイオン化傾向をもつ金属に炭素を含有する部材、及び炭素粒混合の砥粒８の群と、を備え、金属７及び炭素粒混合の砥粒８は、収容体２の細孔を通過して水中に漏れでない大きさであることで、収容体２と収容体２の内容物とが揉まれ擦れ合いを生み、イオン化傾向をもつ金属７又は金属に炭素を含有する部材の表面が削られて金属７又は金属に炭素を含有する部材の新しい表面をもつ微粉が無数生じると共に、金属７又は金属に炭素を含有する部材の表面が削られて常に新しい面が現れることで、金属７自体の酸化永続性が確保され、イオン化傾向をもつ金属７又は金属に炭素を含有する部材が常に新しい面と接触することで、酸化還元反応力が低下することなしに、イオンの溶出を持続させることができ、かつイオンが水及び溶存化学物質と反応して、水に機能をもたせ水の改質を図ることができる。
【００５７】
また、例えば、水の改質部材１を、浴槽の水中に投入し、起振器の振動を、水の改質部材１に与えることで、振動によってイオン化傾向をもつ金属７又は金属に炭素を含有する部材の表面が炭素粒混合の砥粒８により削られて金属７又は金属に炭素を含有する部材の新しい表面をもつ微粉が無数生じると共に、金属７又は金属に炭素を含有する部材の表面が削られて常に新しい面が現れることで、金属７自体の酸化永続性が確保され、イオン化傾向をもつ金属７又は金属に炭素を含有する部材が常に新しい面と接触することで、酸化還元反応力が低下することなしに、イオンの溶出を持続させることができ、かつイオンが水及び溶存化学物質と反応して、水に機能をもたせ水の改質を図ることができる。
【００５８】
起振器に水の改質部材１を備え、この起振器は、防水性で水面に浮くことができる構造であり、水の改質部材１に振動を与え擦り合わせる手段であれば特に限定されず、自身がモータにより振動する電動手段、超音波を発生して水の改質部材１に振動を与える超音波発生手段などを用い、またこれらの手段を組み合わせて用いることができる。また、起振器に水の改質部材１を備え、起振器を浴槽に取り付けて固定して、浴槽も水も同時に振動するようにしてもよい。また、起振器に水の改質部材１を一体に備えることが好ましく、一体に備えることで起振器の振動をできる限り最大限に水の改質部材１に伝達することができる。
【００５９】
以上、この実施例を説明してきたが、この発明は上述の実施例に限られるものではなく、この発明の要旨を逸脱しない範囲の設計変更等があっても、この発明に含まれる。
【００６０】
例えば、実施例では、洗濯槽内に収容して用いる場合を示したが、浴槽用として用いる場合は、入浴しながら水の改質部材を揉みほぐすことにより、アトピー性皮膚炎の人では、水道水に含まれる塩素による皮膚あれ、石鹸による皮膚あれを軽減する。また、入浴水の中で軽くさするだけで皮脂、汚れを落とす効果が期待できる。更に、水素溶存水及び還元水ができるので、温泉的入浴効果も期待できる。また、この発明は、洗濯槽内の水や浴槽内の水に限らず、海、河川、湖沼、池の水や産業排水などに改質に用いることができる。
【００６１】
その他、水の改質部材を動揺したり、衝撃を繰り返すことで飲料水等全ての水を改質することができる。
【００６２】
更に、収容体の袋の化学繊維素材として摩擦力と柔軟性伸縮性を併せ持つエラストマー繊維も使える。
【００６３】
更に、収容体の収容内容物をマグネシウムの切削片及び粒の群と少なくともマグネシウムより電気陰性度の大きい又は酸化還元電位の高いのいずれか一方以上である研磨性金属の粒の群と研磨性粒の群とを混合混在し備えた形態でもよい。
【産業上の利用可能性】
【００６４】
この発明は、例えば、洗濯槽や浴槽内などに入れることで洗濯槽や浴槽内の湯や水を適度なｐＨ値にアルカリ化する水の改質部材及び水の改質方法に適用可能であり、例えば、洗濯槽や浴槽内の汎用水に入れるだけで洗濯槽や浴槽内のお湯や水を適度なｐＨ値に還元しアルカリ還元、機能水化することができる
【符号の説明】
【００６５】
１  水の改質部材
２  収容体
３  マグネシウムの切削片
４  マグネシウムの粒
５  研磨性粒
６  研磨性金属の粒
７  イオン化傾向をもつ金属
８  炭素粒混合の砥粒
９  起振器
１０  洗濯槽
２０  浴槽
【図１】
2015057268.tif 000003
【図２】
2015057268.tif 000004
【図３】
2015057268.tif 000005
【図４】
2015057268.tif 000006
【図５】
2015057268.tif 000007